(57)【要約】【課題】座台に座る状態で簡単に背もたれを所定の傾動位置に変更する。【解決手段】折り畳み椅子は、座台フレーム１と、座台フレーム１にラチェット機構３を介して複数の傾動位置に停止でき、かつ折り畳み自在に連結してなる背フレーム２と、座台フレーム１と背フレーム２に両側部を連結してなるシート材９と、背フレーム２の上下の中間に後端を傾動自在に連結してなる肘掛け６と、肘掛け６の前部に上端を傾動自在に連結して、下端を座台フレーム１に傾動自在に連結して、肘掛け６を座台フレーム１に平行な姿勢に支持する支持フレーム７と、座台フレーム１の前部に折り畳み自在に連結してなる前脚フレーム４と、座台フレーム１の後部に折り畳み自在に連結してなる後脚フレーム５と、前脚フレーム４と後脚フレーム５を、下方に向かって裾広がり状に停止するストッパ機構とを備え、肘掛け６を前後に移動して、背フレーム２の傾動位置を変更させる。【選択図】図２
2019198412.tif 000002
【特許請求の範囲】
【請求項１】
座台フレームと、
前記座台フレームの両側後端部に、ラチェット機構を介して複数の傾動位置に停止でき、かつ折り畳み自在に連結してなる背フレームと、
前記座台フレームと前記背フレームに両側部を連結してなるシート材と、
前記背フレームの上下の中間に後端を傾動自在に連結してなる肘掛けと、
前記肘掛けの前部に上端が傾動自在に連結されて、下端が前記座台フレームに傾動自在に連結されて、前記肘掛けを前記座台フレームに平行な姿勢に支持する支持フレームと、
前記座台フレームの前部に折り畳み自在に連結してなる前脚フレームと、
前記座台フレームの後部に折り畳み自在に連結してなる後脚フレームと、
前記前脚フレームと前記後脚フレームを、側面視において下方に向かって裾広がり状に停止するストッパ機構とを備え、
前記肘掛けが前後方向に移動されて、前記背フレームの傾動位置が変更されるようにしてなることを特徴とする折り畳み椅子。
【請求項２】
前記肘掛けの前部に上方に向かって突出するグリップを有し、
前記グリップを前方に移動して、前記肘掛けを介して前記背フレームが前方に傾動されるようにしてなることを特徴とする請求項１に記載する折り畳み椅子。
【請求項３】
前記座台フレームが前方に向かって横幅を次第に広くしてなるテーパー状としてなることを特徴とする請求項１または２に記載する折り畳み椅子。
【請求項４】
前記座台フレームの前部に、下り勾配に傾斜する傾斜部を有し、この傾斜部に前記シート材の前部を連結してなることを特徴とする請求項１ないし３のいずれかに記載する折り畳み椅子。
【請求項５】
前記前脚フレームと前記後脚フレームが、水平フレームの両側に連結フレームを連結してなるコ字状であって、
前記連結フレームの先端が前記座台フレームに傾動自在に連結され、
さらに、前記前脚フレームの連結フレーム間の間隔が、前記後脚フレームの連結フレーム間の間隔よりも広く、折り畳み状態で、前記後脚フレームの前記連結フレームが前記前脚フレームの前記連結フレームの内側に配置されるようにしてなることを特徴とする請求項１ないし４のいずれかに記載する折り畳み椅子。
【発明の詳細な説明】
【技術分野】
【０００１】
本発明は、背もたれを所定の角度に傾動して停止できる折り畳み椅子に関し、とくに、座った状態で背もたれを傾動できる折り畳み椅子に関する。
【背景技術】
【０００２】
背もたれを傾動できる種々の構造の椅子は開発されている。（特許文献１及び２参照）
これ等の椅子は、背もたれを傾動自在に座台に連結して、背もたれに肘掛けを連結して、肘掛けを介して背もたれを所定の傾動位置に停止している。背もたれは、肘掛け後端部との連結位置を変更して傾動位置を調整し、あるいは肘掛けの下面と垂直姿勢に固定している脚の上端との連結位置を変更して傾動位置を調整している。
【先行技術文献】
【特許文献】
【０００３】
【特許文献１】特開２００５−２０５０２１号公報
【特許文献２】実用新案登録番号３００２５２４号公報
【発明の概要】
【発明が解決しようとする課題】
【０００４】
肘掛けと背もたれとの連結位置を調整して背もたれの傾動位置を調整する椅子は、座台に座った状態で背もたれの傾動位置を簡単に変更できない。また、肘掛けの下面を垂直姿勢に固定している脚の上端に連結する椅子は、背もたれの傾動角を大きくして水平姿勢に近い状態では快適に使用できない。背もたれを、水平姿勢に近い角度に傾動するには、肘掛けを極めて長くする必要があり、また、肘掛けを長くして背もたれを水平姿勢に近い位置まで傾斜すると、肘掛けが急勾配に傾斜して手を載せる位置に配置できないからである。
【０００５】
本発明は以上の欠点を解消することを目的として開発されたもので、本発明の目的の一は、ユーザーが座台に座る状態で簡単に背もたれを所定の傾動位置に変更できる折り畳み椅子を提供することにある。
【課題を解決するための手段】
【０００６】
本発明のある態様にかかる折り畳み椅子は、座台フレーム１と、座台フレーム１の両側後端部に、ラチェット機構３を介して複数の傾動位置に停止でき、かつ折り畳み自在に連結してなる背フレーム２と、座台フレーム１と背フレーム２に両側部を連結してなるシート材９と、背フレーム２の上下の中間に後端を傾動自在に連結してなる肘掛け６と、肘掛け６の前部に上端を傾動自在に連結して、下端を座台フレーム１に傾動自在に連結して、肘掛け６を座台フレーム１に平行な姿勢に支持する支持フレーム７と、座台フレーム１の前部に折り畳み自在に連結してなる前脚フレーム４と、座台フレーム１の後部に折り畳み自在に連結してなる後脚フレーム５と、前脚フレーム４と後脚フレーム５を、側面視において下方に向かって裾広がり状に停止するストッパ機構とを備え、肘掛け６を前後に移動して、背フレーム２の傾動位置を変更できる構造としている。
【０００７】
本発明は、折り畳み椅子を以下に限定するものではないが、以下の構成とすることができる。
本発明のある態様にかかる折り畳み椅子は、肘掛け６の前部に上方に向かって突出するグリップ８を設け、このグリップ８を椅子に座るユーザーが前方に移動して、肘掛け６を介して背フレーム２を前方に傾動する構造とすることができる。とくに、肘掛けの前部に上に突出するグリップは、これを押して簡単に前方に移動できるので、ユーザーが背中を背もたれにもたれる状態で、背フレームを垂直姿勢に起こすことができる特長がある。ユーザーが背中を背もたれにもたれる姿勢は楽な姿勢であるが、この姿勢では背フレームが背中に押されて背フレームを垂直姿勢に起こすのが重くなる。ただ、グリップを前に押してスムーズに強く移動できる肘掛けは、重い背フレームを簡単に起こすことができるので、この椅子は、楽な姿勢で背フレームを簡単に起こす方向に傾動できる特長がある。
【０００８】
本発明のある態様にかかる折り畳み椅子は、座台フレーム１を前方に向かって横幅を次第に広くしてなるテーパー状として、座台フレーム１に両側を連結しているシート材９の前部のクッションを柔軟にして座り心地を良くすることができる。それは、横幅の広いシート材が横幅の狭い部分よりも弛み易くて変形し易くなるからである。とくに、座台フレームの前部でシート材の変形量を多くできる構造は、両側を座台フレームに連結しているシート材で、ユーザーの臀部の荷重を十分に支えながら、脚部を下から快適に支持できる特長がある。
【０００９】
本発明のある態様にかかる折り畳み椅子は、座台フレーム１の前部に、下り勾配に傾斜する傾斜部１Ｘを設け、この傾斜部１Ｘにシート材９の前部を連結することで、座台フレーム１に連結しているシート材９の前縁部を前縁に向かって下り勾配に傾斜して、座り心地よくできる。それは、脚部を局部的に強く押し上げることなく、快適に支持できるからである。
【００１０】
本発明のある態様にかかる折り畳み椅子は、前脚フレーム４と後脚フレーム５を、水平フレーム４Ａ、５Ａの両側に連結フレーム４Ｂ、５Ｂを連結してなるコ字状として、連結フレーム４Ｂ、５Ｂの先端を座台フレーム１に傾動自在に連結して、前脚フレーム４の連結フレーム４Ｂ間の間隔を、後脚フレーム５の連結フレーム５Ｂ間の間隔よりも広くして、折り畳み状態では、後脚フレーム５の連結フレーム５Ｂを前脚フレーム４の連結フレーム４Ｂの内側に配置して、前脚フレーム４と後脚フレーム５の連結フレーム４Ｂ、５Ｂが重ならないようにして、より薄くコンパクトに折り畳みできる。
【発明の効果】
【００１１】
本発明の折り畳み椅子は、ユーザーが座台に座って肘掛けを前後に移動して、簡単に背もたれを所定の傾動位置に変更できる特長がある。それは、本発明の折り畳み椅子が、座台フレームの両側後端部に、ラチェット機構を介して複数の傾動位置に停止できるように背フレームを連結し、この背フレームに肘掛けの後端を垂直面内で回動できるように連結し、さらにこの肘掛けの前部を支持フレームで座台フレームに連結して、支持フレームの両端を垂直面内で回動できるように連結しているので、肘掛けを前後に移動させると、肘掛けと支持フレームと座台フレームと背フレームとが平行四辺形を形成して、肘掛けを座台フレームに平行な姿勢に保持しながら、背フレームを傾動でき、さらに、ラチェット機構で背フレームが所定の傾動位置に停止されるからである。水平姿勢で前後に移動する肘掛けは、ユーザーが椅子に座って肘掛けを握って前後に移動して背フレームを傾動できるので、簡単に背フレームを傾動できる。
【図面の簡単な説明】
【００１２】
【図１】本発明の一実施形態に係る折り畳み椅子の斜視図である。
【図２】図１に示す折り畳み椅子のシート材を取り外した状態を示す斜視図である。
【図３】図２に示す折り畳み椅子の側面図である。
【図４】図２に示す折り畳み椅子の平面図である。
【図５】図１に示す折り畳み椅子の正面図である。
【図６】図１に示す折り畳み椅子の背もたれの可動状態を示す側面図である。
【図７】図２に示す折り畳み椅子を折り畳む工程を示す側面図である。
【図８】折り畳まれた折り畳み椅子を示す底面図である。
【図９】座台フレームと前脚フレームの連結部を示す拡大図である。
【図１０】座台フレームと後脚フレームの連結部を示す拡大図である。
【発明を実施するための形態】
【００１３】
以下、図面に基づいて本発明を詳細に説明する。なお、以下の説明では、必要に応じて特定の方向や位置を示す用語（例えば、「上」、「下」、及びそれらの用語を含む別の用語）を用いるが、それらの用語の使用は図面を参照した発明の理解を容易にするためであって、それらの用語の意味によって本発明の技術的範囲が制限されるものではない。また、複数の図面に表れる同一符号の部分は同一もしくは同等の部分又は部材を示す。
さらに以下に示す実施形態は、本発明の技術思想の具体例を示すものであって、本発明を以下に限定するものではない。また、以下に記載されている構成部品の寸法、材質、形状、その相対的配置等は、特定的な記載がない限り、本発明の範囲をそれのみに限定する趣旨ではなく、例示することを意図したものである。また、一の実施の形態、実施例において説明する内容は、他の実施の形態、実施例にも適用可能である。また、図面が示す部材の大きさや位置関係等は、説明を明確にするため、誇張していることがある。
【００１４】
本発明の一実施形態にかかる折り畳み椅子を図１〜図８に示す。これらの図において、図１は折り畳み椅子の斜視図を、図２は図１に示す折り畳み椅子のシート材を取り除いた斜視図を、図３〜図５は折り畳み椅子の側面図、平面図、及び正面図を、図６は折り畳み椅子の背もたれの可動状態を示す側面図を、図７は折り畳み椅子を折り畳む工程図を、図８は折り畳まれた状態の底面図をそれぞれ示している。なお、図２〜図４、及び図６〜図８においては、折り畳み椅子の構造を理解しやすくするために、シート材を取り除いた状態を、もしくは、シート材を二点鎖線で表示する状態を示している。
【００１５】
図１ないし図５に示す折り畳み椅子１００は、金属パイプを曲げ加工しているフレーム１０にシート材９の両側を連結して、座台１１と背もたれ１２としている。フレーム１０は、座台１１を構成する座台フレーム１と背もたれ１２を構成する背フレーム２とを備えており、座台フレーム１の後端と背フレーム２の下端とをラチェット機構３を介して傾動自在に連結している。座台フレーム１の前部には、折り畳み自在に前脚フレーム４を連結して、座台フレーム１の後部には折り畳み自在に後脚フレーム５を連結している。さらに、折り畳み椅子１００は、背フレーム２の上下の中間に後端を連結してなる肘掛け６と、この肘掛け６の前部に上端を傾動自在に連結すると共に、座台フレーム１の前部に下端を傾動自在に連結してなる支持フレーム７とを備えており、肘掛け６を前後方向に移動させて、背フレーム２の傾動位置を変更するようにしている。
【００１６】
（シート材９）
シート材９は、座台フレーム１と背フレーム２に両側部を連結している。シート材９は、帆布や可撓性のあるプラスチック製のシート、あるいはプラスチック製の網材などが使用できる。シート材９は、両側縁に沿って、フレーム１０の金属パイプを挿入して連結する連結部９ａを設けている。図１に示すシート材９は、両側部を座台フレーム１に連結して座台１１の座面を形成する座面シート部９Ａと、両側部を背フレーム２に連結して背もたれ１２の背もたれ面を形成する背面シート部９Ｂに分割している。ただ、シート材９は、座面シート部と背面シート部とを連続する１枚のシート状として、座台フレームと背フレームに連結することもできる。
【００１７】
（ラチェット機構３）
図２と図３に示す折り畳み椅子１００は、座台フレーム１の両側後端部に、ラチェット機構３を介して背フレーム２を連結している。ラチェット機構３は、図６に示すように、背フレーム２を複数の傾動位置（図６においてａ〜ｄで表示）に停止でき、かつ座台フレーム１と背フレーム２とを水平姿勢（図６においてｆで表示）に広げた状態から、図７に示すように、重ねて積層できる位置まで傾動できるように、すなわち折り畳みできるように連結している。ラチェット機構３には、背フレーム２をほぼ垂直姿勢（図６においてｅで表示）とするまで起こすとストッパ（図示せず）が解除され、ストッパを解除する状態で垂直姿勢（図６においてｅで表示）からほぼ水平となる姿勢（図６においてｆで表示）まで停止することなく倒すことができ、水平姿勢から所定の角度ずつ垂直姿勢に起こすと、複数の傾動位置（図６においてａ〜ｄで表示）に停止できる機構の金具が適している。このラチェット機構３は、通称「ボンボンベッド」として市販されている折り畳み式のベットに使用している機構が使用できる。ただし、ラチェット機構３には、図示しないが、レバー等を操作してストッパ機構を停止状態と解除状態に変更でき、かつ複数の傾動位置で停止できて、背フレーム２を折り畳みできるように座台フレーム１に連結できる他の機構も使用できる。
【００１８】
（座台フレーム１）
座台フレーム１は、２本に分離された金属パイプで、図４に示すように、平面視において、互いにほぼ平行であるが、好ましくは、前方に向かって横幅を次第に広くしてなるテーパー状としている。座台フレーム１は、前部の横幅を、後部の横幅よりも広く、例えば、金属パイプの外径の２倍よりも広くしている。この座台フレーム１は、詳細には後述するが、図７と図８に示すように前後に連結している前脚フレーム４と後脚フレーム５を折り畳み状態で薄くでき、また、座台１１の前部のクッション性を改善できる。図２の折り畳み椅子１００は、分割された２本の座台フレーム１の前端と前脚フレーム４を、金属パイプで直接には連結することなく、前端部に前脚フレーム４を連結して、後端部には後脚フレーム５を連結している。
【００１９】
座台１１は、２本の座台フレーム１の間にシート材９を張設している。このため、図４の平面図に示すように、２本の座台フレーム１を前方に向かって横幅を次第に広くするテーパー状に配置することで、シート材９の横幅も前方に向かって次第に広くなる。このように、シート材９の前部の横幅を広くすることで、この部分のシート材９が変形し易くなり、座台１１の前部におけるクッション性を改善して座り心地を改善できる。とくに、ユーザーが座台１１に座った状態では、図５に示すように、ユーザーの荷重（矢印Ａで表示）に対し、シート材９が図の鎖線で示すように撓むことで、両側の座台フレーム１が内側に接近する方向（矢印Ｂで表示）に移動することの相乗効果で、さらにクッション性を向上できる。ここで、座台１１に座るユーザーの体重の大部分は臀部にかかるため、座台１１のシート材９には、中央部から後部にかけてこの荷重が作用する。これに対して座台１１の前部には、主にユーザーの脚部の荷重がかかるため、臀部に比較してその荷重は小さくなる。以上の椅子では、座台１１の前部のクッションを柔軟にできるので、荷重が小さな脚部に対して優れた柔軟性を実現して座り心地を向上できる。
【００２０】
さらに、図１〜図３の座台フレーム１は前部に下り勾配に傾斜する傾斜部１Ｘを設けて、傾斜部１Ｘにシート材９の前部を連結している。この座台フレーム１は、座台１１の前部を下り勾配に傾斜するので、脚を強く押し上げることなく、快適に支持できる特長がある。
【００２１】
（背フレーム２）
背フレーム２は、２本に分離された金属パイプ２Ａの上端部を連結アーム２Ｂで連結してなる形状としている。図２に示す背フレーム２は、２本の金属パイプ２Ａを互いに平行な姿勢で配置すると共に、２本の金属パイプ２Ａの上端部に、２本の連結アーム２Ｂを上下に離して固定している。このように、２本の金属パイプ２Ａの上端部の２箇所を連結アーム２Ｂで連結する構造は、背フレーム２を一体構造として、背フレーム２を傾動させる際に、２本の金属パイプ２Ａがねじれる姿勢となるのを阻止できる特長がある。２本の連結アーム２Ｂは、後方に向かって中央凸に突出する湾曲形状としており、背もたれ１２にユーザーがもたれた状態で、ユーザーの頭部を支持するヘッドレスト部を形成している。さらに、図に示す背フレーム２は、２本の金属パイプ２Ａを互いに平行な状態で中央凹に湾曲する形状としている。これにより、背もたれ１２の背もたれ面を中央凹の湾曲面として座り心地を良くしている。背フレーム２は、各金属パイプ２Ａの下端をラチェット機構３を介して座台フレーム１に連結している。
【００２２】
（前脚フレーム４、後脚フレーム５）
前脚フレーム４と後脚フレーム５は、座台フレーム１の前後に折り畳み自在に連結されている。前脚フレーム４と後脚フレーム５は、図２と図３に示すように、椅子の使用状態において、座台フレーム１を所定の高さと姿勢に配置できるようにしている。前脚フレーム４と後脚フレーム５は、側面視において下方に向かって裾広がり状に停止されて、座台フレーム１をほぼ水平姿勢、正確には前方を僅かに上り勾配に傾斜する姿勢で停止させる。後脚フレーム５は前脚フレーム４よりも座台フレーム１に対する傾動角（α）を大きくして、背フレーム２を水平姿勢に倒す状態において、椅子の後方への転倒を阻止し、さらに座台フレーム１を後ろに向かって下り勾配に傾斜する姿勢として、ユーザーが快適に座台１１に座ることができるようにしている。前脚フレーム４と後脚フレーム５は、ストッパ機構１３で所定の角度に停止される。
【００２３】
前脚フレーム４と後脚フレーム５は、金属パイプの両端を曲げ加工して、水平フレーム４Ａ、５Ａの両側に連結フレーム４Ｂ、５Ｂを連結するコ字状としている。前脚フレーム４は、図５に示すように、水平フレーム４Ａの両端に直角よりもやや鋭角に連結フレーム４Ｂを連結する裾広がりの形状として、連結フレーム４Ｂの先端（図において上端）を座台フレーム１に傾動できるように連結している。図９は前脚フレーム４と座台フレーム１の連結部の拡大図である。この図に示すように、座台フレーム１は、前端部の下方に突出する連結片１ａを有しており、この連結片１ａに連結フレーム４Ｂの先端連結部４ｂを垂直面内で回動できるように軸ピン１４を介して連結している。前脚フレーム４は、軸ピン１４を傾動軸として、図９の（ａ）で示す座台フレーム１を支持する位置から、図９の（ｂ）で示す前脚フレーム４の折り畳み位置まで傾動する。
【００２４】
また、図５の前脚フレーム４は、水平フレーム４Ａに対する連結フレームの傾斜角（β）を鋭角として、全体を裾広がりの形状としている。この形状の前脚フレーム４は、前述のように、ユーザーが座台１１に座った状態では、図５の矢印Ａで示すユーザーの荷重に対して、両側の座台フレームを図５の矢印Ｂで示す方向に接近させ易くできる。それは、前脚フレーム４の連結フレーム４Ｂを裾広がり状とすることで、両側の連結フレーム４Ｂを水平フレーム４Ａに対して弾性変形し易くできるからである。このように、全体を裾広がりの形状とする前脚フレーム４は、座台１１のシート材９の前部にかかる荷重に対して、２本の座台フレーム１を互いに接近させる方向に両側の連結フレーム４Ｂを弾性変形させることで座台１１の前部におけるクッション性を向上できる。ここで、前脚フレーム４の水平フレーム４Ａに対する連結フレーム４Ｂの傾斜角（β）は、６０度以上であって、好ましくは７０度以上とすることができる。
【００２５】
後脚フレーム５は、図２と図５に示すように、水平フレーム５Ａの両端にほぼ直角に連結フレーム５Ｂを連結する形状で、連結フレーム５Ｂの先端（図において上端）を、座台フレーム１に傾動できるように連結している。図１０は後脚フレーム５と座台フレーム１の連結部の拡大図である。この図に示すように、座台フレーム１は、後端部の下方に突出する連結片１ｂを有しており、この連結片１ｂに連結フレーム５Ｂの先端連結部５ｂを垂直面内で回動できるように軸ピン１４を介して連結している。後脚フレーム５は、軸ピン１４を傾動軸として、図１０の（ａ）で示す座台フレーム１を支持する位置から、図１０の（ｂ）で示す後脚フレーム５の折り畳み位置まで傾動する。
【００２６】
以上の折り畳み椅子は、前脚フレーム４を座台フレーム１の前端部に、後脚フレーム５を座台フレーム１の後端部に連結しているので、前脚フレーム４の連結フレーム４Ｂ間の間隔を、後脚フレーム５の連結フレーム５Ｂ間の間隔よりも広くしている。２本の座台フレーム１が、前部の間隔を後部の間隔よりも広くしているからである。これらの前脚フレーム４と後脚フレーム５は、図７と図８に示す折り畳み状態で、後脚フレーム５の連結フレーム５Ｂを前脚フレーム４の連結フレーム４Ｂの内側に配置して、重ならないように薄くする状態で折り畳みできる。とくに、図５に示す前脚フレーム４は、水平フレーム４Ａの両端に傾斜角（β）を鋭角とする姿勢で連結フレーム４Ｂを連結して、全体を裾広がりの形状とするので、図８に示す折り畳み状態では、後脚フレーム５の連結フレーム５Ｂを確実に前脚フレーム４の連結フレーム４Ｂの内側に配置してこれらの重なりを防止しながら折り畳できる。
【００２７】
（ストッパ機構１３）
ストッパ機構１３は、図３に示すように、座台フレーム１に対して傾動する前脚フレーム４と後脚フレーム５の停止位置を特定して、前脚フレーム４と後脚フレーム５で支持される座台フレーム１の姿勢を特定する。ストッパ機構１３は、前脚フレーム４を座台フレーム１に対して所定の傾動角（α１）で停止させ、後脚フレーム５を座台フレーム１に対して所定の傾動角（α２）で停止させて、前脚フレーム４と後脚フレーム５とを、側面視において下方に向かって裾広がり状に停止させる。
【００２８】
図９に示すストッパ機構１３は、前脚フレーム４の連結フレーム４Ｂの先端部であって、軸ピン１４との連結部である先端連結部４ｂの近傍において、前方に突出する姿勢で設けた凸部１３Ａである。凸部１３Ａであるストッパ機構１３は、図９の（ａ）で示すように、前脚フレーム４を前方に傾動させる状態で、座台フレーム１の先端部の下面に当接して前脚フレーム４を所定の傾動角（α１）で停止させる。
【００２９】
図１０に示すストッパ機構１３は、後脚フレーム５の連結フレーム５Ｂの先端部であって、軸ピン１４との連結部である先端連結部５ｂの近傍において、後方に突出する姿勢で設けた凸部１３Ｂである。凸部１３Ｂであるストッパ機構１３は、図１０の（ａ）で示すように、後脚フレーム５を後方に傾動させる状態で、座台フレーム１の後端部の下面に当接して後脚フレーム５を所定の傾動角（α２）で停止させる。
【００３０】
座台フレーム１に対する後脚フレーム５の傾動角（α２）は前脚フレーム４の傾動角（α１）よりも大きく、座台フレーム１を後ろに向かって下り勾配に傾斜する姿勢に支持するようにしている。下り勾配に傾斜する座台フレーム１が水平面となす傾斜角（θ）は、前脚フレーム４の傾動角（α１）及び後脚フレーム５の傾動角（α２）に加えて、前脚フレーム４の連結フレーム４Ｂの長さ及び後脚フレーム５の連結フレーム５Ｂの長さにより特定されるが、例えば、前脚フレーム４の連結フレーム４Ｂの長さと後脚フレーム５の連結フレーム５Ｂの長さをほぼ等しくした場合、前脚フレーム４の傾動角（α１）を１００〜１２０度、後脚フレーム５の傾動角（α２）を１２０〜１７０度として、座台フレーム１の傾斜角（θ）を５〜２０度とすることができる。
【００３１】
図９と図１０に示すストッパ機構１３は、連結フレーム４Ｂ、５Ｂから突出する凸部１３Ａ、１３Ｂとして前脚フレーム４と後脚フレーム５に設ける構造としている。この構造は、座台フレーム１に連結する前脚フレーム４や後脚フレーム５を、ストッパ機構１３の位置や突出量が最適となるように選択することで、前脚フレーム４の傾動角（α１）及び後脚フレーム５の傾動角（α２）を調整して座台フレーム１の傾斜角（θ）を調整できる特長がある。ただ、ストッパ機構は、座台フレームの下面から突出する凸部として設けることもできる。
【００３２】
（肘掛け６）
さらに、図に示す折り畳み椅子１００は、座台１１の両側に位置して肘掛け６を備えている。図に示す肘掛け６は金属パイプで、後端を背フレーム２の上下の中間に連結すると共に、前部を支持フレーム７を介して座台フレーム１の前部に連結している。肘掛け６は、背フレーム２を傾動する状態で座台フレーム１に対して平行な姿勢に保持できるように、後端を垂直面内で回動できるように軸ピン１５を介して背フレーム２の外側に連結して、前端部を垂直面内で回動できるように軸ピン１４を介して支持フレーム７に連結している。図に示す肘掛け６は、後端と前端部に、下方に突出する連結片６ａ、６ｂを備えている。肘掛け６は、後端に設けた連結片６ａを、垂直面内で回動できるように軸ピン１５を介して背フレーム２の外側に連結している。また、肘掛け６は、前端部に設けた連結片６ｂを垂直面内で回動できるように軸ピン１４を介して支持フレーム７の上端に連結している。
【００３３】
（支持フレーム７）
支持フレーム７は、肘掛け６の前端部を座台フレーム１に連結する金属パイプで、肘掛け６を座台フレーム１に対して平行な姿勢とする長さとしている。さらに、支持フレーム７は、肘掛け６と背フレーム２と座台フレーム１とで平行四辺形を構成するように両端を肘掛け６と座台フレーム１の前部に連結している。図に示す支持フレーム７は、上端を垂直面内で回動できるように軸ピン１４を介して肘掛け６の連結片６ｂに、下端を垂直面内で回動できるように軸ピン１５を介して座台フレーム１の外側に連結している。
【００３４】
以上の折り畳み椅子１００は、肘掛け６と支持フレーム７と背フレーム２と座台フレーム１が平行四辺形を構成するように、肘掛け６及び支持フレーム７の長さと、背フレーム２と座台フレーム１の連結位置を設定している。この構造は、図６に示すように、背もたれ１２が傾動される状態で、肘掛け６を座台フレーム１に対して平行な姿勢に保持するように、肘掛け６と支持フレーム７と背フレーム２と座台フレーム１で形成される平行四辺形を変形させる。左右の肘掛け６は、図４に示すように、座台フレーム１と背フレーム２の外側に配置されており、平面視において、座台フレーム１と平行な姿勢で配置されている。これにより、ユーザーが座台１１に座った状態で肘掛け６を前後に移動させて背フレーム２を傾動する状態で、肘掛け６を座台１１に平行に移動させることができる。
【００３５】
（グリップ８）
さらに、折り畳み椅子１００は、肘掛け６の前方にグリップ８を備えている。図３に示すグリップ８は、肘掛け６の前部に上方に向かって突出する姿勢で設けられている。図のグリップ８は、球形状の握り部８Ａと、この握り部８Ａを肘掛け６に連結する連結部８Ｂとをプラスチックで一体的に成形している。このグリップ８は、握り部８Ａから延長された連結部８Ｂを肘掛け６の前端に連結して肘掛け６に固定される。グリップ８の連結部８Ｂは、肘掛け６の前方から上方に向かって突出する形状に湾曲されており、先端に設けた球形状の握り部８Ａを肘掛け６の前方の上方に配置している。
【００３６】
左右のグリップ８は、図８に示すように、背フレーム２を傾動させて折り畳む状態で、球形状の握り部８Ａが背フレーム２に当接しないように配置している。これにより、背フレーム２を折り畳む状態では、左右のグリップ８の間に背フレーム２を収納できるようにしている。とくに、図４に示す折り畳み椅子１００は、平面視において、２本の座台フレーム１の横幅が前方に向かって次第に広くしてなる構造としているので、この座台フレーム１に平行な姿勢で配置される肘当て６の前部に配置されるグリップ８も、図７と図８に示すように、背もたれ１２を座台１１に重ねるように折り畳む状態では横幅が広くなる前方に移動された状態となって左右のグリップ８の間隔が広くなる。これにより、前方に折り畳まれる背フレーム２は、左右の握り部８Ａに当接することなく左右のグリップ８の間に収納される。
【００３７】
以上の構造のグリップ８は、ユーザーが背フレーム２を傾動させる際に、球形状の握り部８Ａを握ることで力を入れやすくしている。ただ、グリップは、握り部を球形状とする構造には限定しない。握り部は、卵形状、あるいは円柱状等の手で握りやすい形状とすることもできる。
【００３８】
以上の折り畳み椅子１００は、以下の状態で使用され、また折り畳んで梱包し、また運搬される。
［背もたれを可動させる使用状態］
折り畳み椅子１００は、図６に示すように、背フレーム２を座台フレーム１に対して傾動させて背もたれ１２の傾斜位置を調整する。背フレーム２は、ラチェット機構３を介して座台フレーム１に連結されているので、このラチェット機構３により水平姿勢（図６においてｆで表示）に展開した状態から、複数の傾動位置（図６においてａ〜ｄで表示）に停止させながら傾動させることができる。すなわち、背もたれ１２を水平姿勢から一定の角度ずつ垂直方向に起こしながら傾動させて、背フレーム２を所望の傾動位置まで傾動させて停止できる。このとき、ユーザーは、座台１１に座って肘掛け６を前方に移動することで、簡単に背もたれ１２を所定の傾動位置に変更できる。とくに、肘掛け６を座台フレーム１に対して平行な姿勢に保持しながら肘掛け６を前方に移動させて背もたれ１２を所定の傾動位置に傾動できる。さらに、肘掛け６の前部には上方に突出するグリップ８を設けているので、このグリップ８を前方に移動させることで、肘掛け６を介して背もたれ１２を前方に傾動させてもよい。
【００３９】
また、背もたれ１２の傾動位置を後方に変更させる際には、一旦、背フレーム２をほぼ垂直姿勢（図６においてｅで表示）まで起こしてラチェット機構３のストッパを解除した後、ストッパを解除した状態で背もたれ１２を水平姿勢（図６においてｆで表示）まで倒してストッパを動作状態に復帰させる。その後、背もたれ１２を所望の傾動位置となるまで前方に傾動させる。なお、この動作の際にも、ユーザーは、座台１１に座って肘掛け６を前方に移動させることで、背もたれ１２を垂直姿勢（図６においてｅで表示）まで起こし、また、座台１１に座って肘掛け６を後方に移動させることで、水平姿勢（図６においてｆで表示）まで倒すことができる。
【００４０】
［折り畳み椅子を折り畳む状態］
（１）図７の（ａ）に示すように、背もたれ１２を座台１１に重ねるように傾動させて、背もたれ１２を座台１１に積層する。このとき、肘掛け６は、座台フレーム１に重なるように前方に移動し、背フレーム２は、肘掛け６の前部に連結された左右のグリップ８の間に収納するように折り畳まれる。
（２）図７の（ｂ）で示すように、後脚フレーム５を座台１１の下面側に折り畳む。
（３）図７の（ｃ）で示すように、前脚フレーム４を座台１１の下面側に折り畳んで、先に折り畳まれた後脚フレーム５に積層する。このとき、前脚フレーム４の連結フレーム４Ｂは、図８に示すように、後脚フレーム５の連結フレーム５Ｂの外側に配置されて、連結フレーム４Ｂ、５Ｂ同士が互いに重なり合うのを防ぐことができ、より薄くコンパクトに折り畳みできる。
（４）図７の（ｄ）で示すように、座台フレーム１に対して背フレーム２、後脚フレーム５、前脚フレーム４が折り畳まれた状態で梱包し、また運搬される。
【産業上の利用可能性】
【００４１】
本発明は、座った状態で背もたれを所定の角度に傾動させて停止できる折り畳み椅子として便利に使用できる。
【符号の説明】
【００４２】
１００…折り畳み椅子
１…座台フレーム
１Ｘ…傾斜部
１ａ…連結片
１ｂ…連結片
２…背フレーム
２Ａ…金属パイプ
２Ｂ…連結アーム
３…ラチェット機構
４…前脚フレーム
４Ａ…水平フレーム
４Ｂ…連結フレーム
４ｂ…先端連結部
５…後脚フレーム
５Ａ…水平フレーム
５Ｂ…連結フレーム
５ｂ…先端連結部
６…肘掛け
６ａ…連結片
６ｂ…連結片
７…支持フレーム
８…グリップ
８Ａ…握り部
８Ｂ…連結部
９…シート材
９Ａ…座面シート部
９Ｂ…背面シート部
９ａ…連結部
１０…フレーム
１１…座台
１２…背もたれ
１３…ストッパ機構
１３Ａ…凸部
１３Ｂ…凸部
１４…軸ピン
１５…軸ピン
【図１】
2019198412.tif 000003
【図２】
2019198412.tif 000004
【図３】
2019198412.tif 000005
【図４】
2019198412.tif 000006
【図５】
2019198412.tif 000007
【図６】
2019198412.tif 000008
【図７】
2019198412.tif 000009
【図８】
2019198412.tif 000010
【図９】
2019198412.tif 000011
【図１０】
2019198412.tif 000012